(57)【要約】【課題】積み重ねた際の全方向への滑りが防止されるサンドイッチパネルと、このサンドイッチパネルの積重体とを提供する。【解決手段】サンドイッチパネル１０は、前面側の金属板１１と裏側の金属板１２との間に断熱材１３を介在させたものである。表側の金属板１１には多数の凹穴１４が設けられている。裏側の金属板１２には、この凹穴１４に係入する多数の凸部１５が設けられている。複数枚積み重ねられて積重体Ｓとされた場合、凹穴１４に凸部１５とが係入するので、サンドイッチパネル１０が全方向に滑ることがない。凹穴１４と凸部１５とが面対称配置されているので、各サンドイッチパネル１０の辺をぴったりと揃えてサンドイッチパネル１０を積み重ねることができ、積重体Ｓがコンパクトとなる。【選択図】図１
2006045848.tif 000002
【特許請求の範囲】
【請求項１】
１対の金属板の間に断熱材が介在されてなるサンドイッチパネルにおいて、
一方の該金属板に凹穴を設けると共に、他方の該金属板に、該凹穴に嵌入しうる大きさの凸部を設けたことを特徴とするサンドイッチパネル。
【請求項２】
請求項１において、前記凹穴と凸部とが１個ずつ設けられており、該凹穴及び凸部が非円形であることを特徴とするサンドイッチパネル。
【請求項３】
請求項１又は２において、一方の金属板の凹穴と他方の金属板の凸部とが面対称配置されていることを特徴とするサンドイッチパネル。
【請求項４】
請求項１ないし３のいずれか１項において、該凸部の少なくとも先端面が湾曲面よりなることを特徴とするサンドイッチパネル。
【請求項５】
複数枚のサンドイッチパネルを積み重ねたサンドイッチパネル積重体において、
該サンドイッチパネルは請求項１ないし４のいずれか１項に記載のサンドイッチパネルであり、
隣接するサンドイッチパネルにあっては、一方のサンドイッチパネルの凸部が他方のサンドイッチパネルの凹穴に嵌入していることを特徴とするサンドイッチパネル積重体。
【発明の詳細な説明】
【技術分野】
【０００１】
本発明は、１対の金属板間に断熱材を介在させたサンドイッチパネルと、このサンドイッチパネルを複数枚積み重ねてなる積重体に関するものである。
【背景技術】
【０００２】
１対の金属板同士の間に断熱材を介在させてなるサンドイッチパネルを用いて壁を構築したり改修することが行われている。
【０００３】
このサンドイッチパネルを積み重ねて運搬や保管を行う場合、サンドイッチパネルの表面が平坦であると、サンドイッチパネル同士が滑ることがある。
【０００４】
なお、特開平９−６０１５２号公報の図４には、サンドイッチパネル（同号公報では建築用パネルと称されている）の表裏の金属板に、互いに同方向に延在する波形の凹凸リブを設けることが記載されている。
【特許文献１】特開平９−６０１５２号公報
【発明の開示】
【発明が解決しようとする課題】
【０００５】
上記特開平９−６０１５２号公報のサンドイッチパネルを積み重ねた場合、波形凹凸リブと直交方向におけるサンドイッチパネルの滑りは防止されるが、凹凸リブの延在方向への滑りは防止できない。
【０００６】
本発明は、積み重ねた際の全方向への滑りが防止されるサンドイッチパネルと、このサンドイッチパネルの積重体とを提供することを目的とする。
【課題を解決するための手段】
【０００７】
本発明のサンドイッチパネルは、１対の金属板の間に断熱材が介在されてなるサンドイッチパネルにおいて、一方の該金属板に凹穴を設けると共に、他方の該金属板に、該凹穴に嵌入しうる大きさの凸部を設けたことを特徴とするものである。
【０００８】
本発明では、該凸部及び凹穴がそれぞれ複数個設けられており、該凸部は、高さ０．２〜２ｍｍ、基底部の面積３〜２０ｍｍ２であり、金属板の１０ｃｍ２当り５〜１３０個の割合で設けられていることが好ましい。
【０００９】
本発明の一態様では、凹穴と凸部とが１個ずつ設けられており、該凹穴及び凸部が非円形である。
【００１０】
本発明のサンドイッチパネルでは、一方の金属板の凹穴と他方の金属板の凸部とが面対称配置されていることが望ましい。
【００１１】
本発明のサンドイッチパネルでは、凸部の少なくとも先端面が湾曲面よりなることが望ましい。
【００１２】
本発明のサンドイッチパネル積重体は、複数枚のサンドイッチパネルを積み重ねたサンドイッチパネル積重体において、該サンドイッチパネルはかかる本発明のサンドイッチパネルであり、隣接するサンドイッチパネルにあっては、一方のサンドイッチパネルの凸部が他方のサンドイッチパネルの凹穴に嵌入していることを特徴とするものである。
【発明の効果】
【００１３】
本発明のサンドイッチパネルを積み重ねて積重体とした場合、隣接する一方のサンドイッチパネルの凸部が他方のサンドイッチパネルの凹穴に係入することにより、サンドイッチパネルの全方向への滑りが防止される。
【００１４】
凸部及び凹穴を複数個設ける場合、凸部の高さを０．２〜２ｍｍとし、凸部の基底部の面積を３〜２０ｍｍ２とし、金属板１０ｃｍ２当りの個数を５〜１３０個とすることが望ましい。これにより、凸部が過度に高くなく、従って凹穴も過度に深くなく、金属板のいずれを前面側とする場合でも塗り仕上げやタイル張り仕上げを支障なく容易に行うことが可能となる。また、凸部が過度に低くなく、しかも凸部及び凹穴の数も十分であるため、サンドイッチパネルの滑りも確実に防止される。なお、サンドイッチパネルの回転滑りも防止される。
【００１５】
本発明では、凹穴と凸部とを１個ずつ設けてもよく、この場合には、該凹穴及び凸部を非円形とする。これにより、全方向への滑りが防止されると共に、サンドイッチパネルの回転滑りも防止される。
【００１６】
本発明では、一方の金属板の凹穴と他方の金属板の凸部とを面対称配置とすることにより、複数枚のサンドイッチパネルを、各々の辺をぴったりと揃えて積み重ねて凹穴に凸部を係入させることが可能となる。これにより、積重体が極めてコンパクトなものとなる。
【００１７】
本発明では、凸部の少なくとも先端面を湾曲面とすることにより、サンドイッチパネルを積み重ねるときにサンドイッチパネル同士が摺動しても、該サンドイッチパネルに傷がつくことを防止することができる。
【発明を実施するための最良の形態】
【００１８】
以下、図面を参照して実施の形態について説明する。第１図（ａ）は、実施の形態に係るサンドイッチパネルの裏側からの斜視図、第１図（ｂ）は、このサンドイッチパネルの表側からの斜視図、第１図（ｃ）はサンドイッチパネル積重体を示す側面図、第２図（ａ）はサンドイッチパネルの縦断面図、第２図（ｂ），（ｃ）は第２図（ａ）の上部及び下部の拡大図、第３図はサンドイッチパネルを設置した壁の下部の縦断面図、第４図は別の実施の形態を示す斜視図である。
【００１９】
第１図及び第２図の通り、このサンドイッチパネル１０は、前面側の金属板１１と裏側の金属板１２との間に断熱材１３を介在させたものである。金属板１１，１２としては厚さ０．２７〜１ｍｍ程度の鋼板やアルミ板が好適であり、断熱材１３としては厚さ１５〜１００ｍｍ程度の合成樹脂発泡体が好適であるが、これに限定されるものではない。
【００２０】
このサンドイッチパネル１０の上端側には、厚みを小さくするようにして雄実１０ａが形成されている。また、サンドイッチパネル１０の下端面には、厚み方向の中央部分から上方に凹陥する雌実１０ｂが形成され、この雌実１０ｂの奥面（天井面）にゴム等よりなるパッキン１０ｃが接着等により固着されている。下段側に配設されたサンドイッチパネル１０の雄実１０ａと、上段側に配設されたサンドイッチパネル１０の雌実１０ｂとが係合するようにしてこのサンドイッチパネル１０が壁に設置される。なお、雄実、雌実の形状は図示以外であってもよい。
【００２１】
表側の金属板１１には多数の凹穴１４が設けられている。裏側の金属板１２には、この凹穴１４に嵌入する多数の凸部１５が設けられている。この凹穴１４及び凸部１５は、金属板１２をプレス処理することによって形成することができるが、形成方法はこれに限定されるものではない。
【００２２】
この凸部１５の高さ（凸部１５同士の間の平坦な箇所と凸部１５の先端の高低差）は０．２〜２０ｍｍ程度が好適である。凸部１５の基底部の面積は３〜２０ｍｍ２程度が好適である。基底部が円形の場合、その直径は約１〜５ｍｍ程度が好適である。
【００２３】
凸部１５は、少なくとも先端部が湾曲しているものが好適であり、これにより、サンドイッチパネル１０同士を積み重ねる際にサンドイッチパネル１０同士が摺動しても、サンドイッチパネル１０に傷がつくことが防止される。具体的には、凸部１５は、半球状又はそれよりも小さい球の一部の形状であることが好ましい。
【００２４】
なお、このような先端が湾曲した凸部１５は、先端が尖っていないので、透湿防水シート２を突き破るおそれもなく、好適である。
【００２５】
この凸部１５の配置密度は、金属板１２の１０ｃｍ２当り５〜１３０個程度が好適である。
【００２６】
このように構成されたサンドイッチパネル１０は、第１図（ｃ）のように複数枚積み重ねられて積重体Ｓとされた場合、凹穴１４に凸部１５とが係入するので、サンドイッチパネル１０が全方向に滑ることがない。
【００２７】
この実施の形態にあっては、凹穴１４と凸部１５とが面対称配置されているので、各サンドイッチパネル１０の辺をぴったりと揃えてサンドイッチパネル１０を積み重ねることができ、積重体Ｓがコンパクトとなる。
【００２８】
このサンドイッチパネル１０を用いて構築された壁の一例を第３図に示す。第３図の通り、布基礎５の上に土台６が設置され、複数の柱１が立設されている。複数の柱１にまたがって透湿防水シート２が張り渡されている。
【００２９】
この透湿防水シート２の前面側にサンドイッチパネル１０が配置されている。左右に隣接するサンドイッチパネル１０，１０の継目は柱１の前面に位置している。
【００３０】
このサンドイッチパネル１０は、柱１に留め付けられ、上下多段に且つ左右多列に配設される。このサンドイッチパネル１０の留め付けにはビス、釘等を用いることができるが、ビスの方が耐荷重が大きく、好適である。
【００３１】
なお、この実施の形態では、最下段のサンドイッチパネル１０の下部の裏側から水を抜くために、水抜き用パイプ２０が最下段のサンドイッチパネル１０の下部を貫通して設けられている。
【００３２】
このサンドイッチパネル１０の前面には、仕上げ塗装が施されるか、又はタイルが接着される。なお、左右に隣接するサンドイッチパネル１０，１０の継目を覆うように、該継目に跨って前面側から防水テープが貼着される。
【００３３】
このように構成されたサンドイッチパネル１０の設置構造にあっては、サンドイッチパネル１０の裏側の金属板１２に多数の凸部１５が設けられており、サンドイッチパネル１０の裏側と透湿防水シート２との間には流水間隙が形成される。従って、サンドイッチパネル１０の裏側に入り込んだ水は、この流水間隙を介してスムーズに流れ落ち、パイプ２０を介してサンドイッチパネル１０の前方へ排出される。なお、湿気を含んだ空気もこの流水間隙を流れるようになる。
【００３４】
この結果、サンドイッチパネル１０の裏側に湿気がこもることが防止される。特に、柱１の前面にあっても、サンドイッチパネル１０，１０同士の継目を通して雨水が流入した場合、この水は柱１の前面側の透湿防水シート２とサンドイッチパネル１０との間の流水間隙を素早く流れ落ち、パイプ２０を通って排出される。
【００３５】
第４図（ａ）は本発明の別の実施の形態に係るサンドイッチパネル１０Ａの表側の斜視図、第４図（ｂ）はこのサンドイッチパネル１０Ａの裏側の斜視図である。この実施の形態では、サンドイッチパネル１０Ａの表側に１個の非円形の凹穴２１が設けられ、サンドイッチパネル１０Ａの裏側に１個の非円形の凸部２２が設けられている。この凹穴２１は一文字状の凹条であり、凸部２２は一文字状の凸条である。このサンドイッチパネル１０Ａを積み重ねた場合、凸部２２が凹穴２１に係入することにより、サンドイッチパネル１０Ａの全方への滑りが防止されると共に、回転滑りも防止される。
【００３６】
第４図では、凹穴２１及び凸部２２が一文字形であるが、角形、楕円形等であってもよい。
【図面の簡単な説明】
【００３７】
【図１】第１図（ａ）は、実施の形態に係るサンドイッチパネルの裏側からの斜視図、第１図（ｂ）は、このサンドイッチパネルの表側からの斜視図、第１図（ｃ）はサンドイッチパネル積重体を示す側面図である。
【図２】第２図（ａ）はサンドイッチパネルの縦断面図、第２図（ｂ），（ｃ）は第２図（ａ）の上部及び下部の拡大図である。
【図３】サンドイッチパネルを設置した壁の下部の縦断面図である。
【図４】別の実施の形態を示す斜視図である。
【符号の説明】
【００３８】
１  柱
２  透湿防水シート
１０，１０Ａ  サンドイッチパネル
１１，１２  金属板
１３  断熱材
１４，２１  凹穴
１５，２２  凸部
【図１】
2006045848.tif 000003
【図２】
2006045848.tif 000004
【図３】
2006045848.tif 000005
【図４】
2006045848.tif 000006